(57)【要約】  【課題】  ポータブルＭＤにディスクカートリッジが挿入されている状態を検出する検出スイッチを設ける。  【解決手段】  筐体５の内部へディスクカートリッジ３を挿脱するための挿脱口６に、該挿脱口６へ挿入されるディスクカートリッジ３に押されて外部から内側へ向かって開く開閉部材７を設け、該開閉部材７を外側へ向かって閉じる方向へ付勢するばね１２を設け、該開閉部材７と一体に回動する押圧部７ｃと、該押圧部７ｃによって押圧され、開閉部材７が開いたことを検出する検出スイッチ８とを設け、開閉部材７が開いたときに押圧部７ｃが検出スイッチ８を押圧するようにした。  【選択図】  図１
2005322289.tif 000002
【特許請求の範囲】
【請求項１】
筐体にディスク状記録媒体を挿脱するために設けられた挿脱口に、外部から内側へ向かって開く開閉部材を設け、該開閉部材を外側へ向かって閉じる方向へ付勢する付勢手段を設け、ディスク状記録媒体を前記挿脱口へ挿入して前記付勢手段の付勢力に抗して前記開閉部材を押し開いたときに、前記開閉部材が開いたことを検出する検出手段を設けたことを特徴とする記録及び／又は再生装置。
【請求項２】
請求項１に記載の記録及び／又は再生装置において、
前記検出手段は、前記開閉部材と一体に回動する押圧部と、該押圧部によって押圧される検出スイッチとによって構成し、
前記開閉部材が開いたときに前記押圧部が前記検出スイッチを押圧するようにしたことを特徴とする記録及び／又は再生装置。
【請求項３】
請求項１又は２に記載の記録及び／又は再生装置において、前記ディスク状記録媒体がディスクカートリッジである場合には、前記開閉部材の回動軸を前記開閉部材の上部に設け、前記開閉部材の下部には、前記開閉部材が開いたときに、前記付勢手段の付勢力により前記ディスクカートリッジを押圧するカートリッジ押えを形成したことを特徴とする記録及び／又は再生装置。
【請求項４】
請求項３に記載の記録及び／又は再生装置において、前記カートリッジ押えは、前記開閉部材の両端に設けたことを特徴とする記録及び／又は再生装置。
【請求項５】
請求項４に記載の記録及び／又は再生装置において、前記ディスクカートリッジが挿入完了位置まで引き込まれる際に、前記カートリッジ押えの先端が前記ディスクカートリッジの干渉部に干渉しないようにしたことを特徴とする記録及び／又は再生装置。
【請求項６】
請求項５に記載の記録及び／又は再生装置において、前記カートリッジ押えの一方を他方よりも長くしたことを特徴とする記録及び／又は再生装置。
【請求項７】
請求項１または２に記載の記録及び／又は再生装置において、前記挿脱口として異なる種類のディスク状記録媒体を挿脱するための第１挿脱口と第２挿脱口とを並設し、該第１挿脱口と該第２挿脱口との夫々に前記開閉部材と前記検出手段とを設け、スライド移動が可能な単一のスライド蓋を設け、該スライド蓋が前記第１挿脱口と前記第２挿脱口とのいずれか一方を塞ぐようにし、夫々の前記検出手段と前記スライド蓋とを関連付けたことを特徴とする記録及び／又は再生装置。
【発明の詳細な説明】
【技術分野】
【０００１】
本発明は、記録及び／又は再生装置に関し、ディスク状記録媒体がイジェクト位置に存在することが検出されるようにしたものである。
【背景技術】
【０００２】
従来の記録及び／又は再生装置は、例えば特許文献１に記載のように、ディスクカートリッジをディスクドライブ装置のカートリッジ挿脱口から少しだけ挿入すると、移動用のモータの回転によりローディングが開始され、ディスクカートリッジは挿入された挿入位置から挿入完了位置まで引き込まれてその全体がカートリッジホルダの上に載り、該カートリッジホルダが下降することにより、ディスクカートリッジは、回転駆動されるディスクテーブル上にローディングされ、再生が可能な待機状態になる。この状態からディスクテーブルが回転してディスクカートリッジの再生が行われる。再生が終了してイジェクト釦を押すと、ディスクカートリッジは前記と逆の動きでカートリッジ挿脱口から排出され、ディスクカートリッジの一部がカートリッジ挿脱口から露出したイジェクト位置で停止する。このイジェクト位置にあるディスクカートリッジは、手動によって取り出される。
【特許文献１】特開２０００−１５６０１０号公報
【発明の開示】
【発明が解決しようとする課題】
【０００３】
ところが、ディスクカートリッジのイジェクト位置において、ディスクカートリッジの有無を検出する検出手段が設けられていないため、ディスクカートリッジをイジェクト位置に置いたままで、開閉蓋を締めてしまい、ディスクカートリッジや開閉蓋を破損するという問題が生じる。
【０００４】
そこで本発明は、上記の課題を解決した記録及び／又は再生装置を提供することを目的とする。
【課題を解決するための手段】
【０００５】
請求項１に係る発明は、筐体にディスク状記録媒体を挿脱するために設けられた挿脱口に、外部から内側へ向かって開く開閉部材を設け、該開閉部材を外側へ向かって閉じる方向へ付勢する付勢手段を設け、ディスク状記録媒体を前記挿脱口へ挿入して前記付勢手段の付勢力に抗して前記開閉部材を押し開いたときに、前記開閉部材が開いたことを検出する検出手段を設けたことを特徴とする。
【０００６】
このような記録及び／又は再生装置では、イジェクト釦を押してディスク状記録媒体がイジェクト位置まで排出された状態では、開閉部材がディスク状記録媒体の存在により内側へ開いた状態を維持している。この状態では開閉部材が開いたことを検出手段が検出し続けており、ディスク状記録媒体がイジェクト位置に存在することが検出されている。
【０００７】
請求項２に係る発明は、請求項１に記載の記録及び／又は再生装置において、前記検出手段は、前記開閉部材と一体に回動する押圧部と、該押圧部によって押圧される検出スイッチとによって構成し、前記開閉部材が開いたときに前記押圧部が前記検出スイッチを押圧するようにしたことを特徴とする。
【０００８】
このような記録及び／又は再生装置では、ディスク状記録媒体により開閉部材は内側へ押し開かれ、開閉部材と一体に回転する押圧部が検出スイッチを押し、これによってディスク状記録媒体がイジェクト位置に存在することが検出される。
【０００９】
請求項３に係る発明は、請求項１又は２に記載の記録及び／又は再生装置において、前記ディスク状記録媒体がディスクカートリッジである場合には、前記開閉部材の回動軸を前記開閉部材の上部に設け、前記開閉部材の下部には、前記開閉部材が開いたときに、前記付勢手段の付勢力により前記ディスクカートリッジを押圧するカートリッジ押えを形成したことを特徴とする。
【００１０】
このような記録及び／又は再生装置では、ディスク状記録媒体を収容したディスクカートリッジが挿脱口に挿入されて開閉部材が押し開かれた状態では、カートリッジ押えが前記付勢手段の付勢力によりディスクカートリッジを押えることになるので、ディスクカートリッジが適正に保持される。
【００１１】
請求項４に係る発明は、請求項３に記載の記録及び／又は再生装置において、前記カートリッジ押えは、前記開閉部材の両端に設けたことを特徴とする。
【００１２】
このような記録及び／又は再生装置では、ディスクカートリッジを押えるカートリッジ押えが開閉部材の両端に設けられているので、ディスクカートリッジの保持が、より安定する。
【００１３】
請求項５に係る発明は、請求項４に記載の記録及び／又は再生装置において、前記ディスクカートリッジが挿入完了位置まで引き込まれる際に、前記カートリッジ押えの先端が前記ディスクカートリッジの干渉部に干渉しないようにしたことを特徴とする。
【００１４】
このような記録及び／又は再生装置では、カートリッジ押えの先端が干渉部に干渉しないので、ディスクカートリッジがカートリッジ押えに妨害されて完全挿入出来なくなることが未然に防止される。
【００１５】
請求項６に係る発明は、請求項５に記載の記録及び／又は再生装置において、前記カートリッジ押えの一方を他方よりも長くしたことを特徴とする。
【００１６】
このような記録及び／又は再生装置では、カートリッジ押えの一方を他方よりも長くしたので、ディスクカートリッジの干渉部がカートリッジ押えと干渉することはなく、ディスクカートリッジの挿入妨害が未然に防止される。
【００１７】
請求項７に係る発明は、請求項１または２に記載の記録及び／又は再生装置において、前記挿脱口として異なる種類のディスク状記録媒体を挿脱するための第１挿脱口と第２挿脱口とを並設し、該第１挿脱口と該第２挿脱口との夫々に前記開閉部材と前記検出手段とを設け、スライド移動が可能な単一のスライド蓋を設け、該スライド蓋が前記第１挿脱口と前記第２挿脱口とのいずれか一方を塞ぐようにし、夫々の前記検出手段と前記スライド蓋とを関連付けたことを特徴とする。
【００１８】
このような記録及び／又は再生装置では、第１挿脱口と第２挿脱口とのうちの開放されている方の挿脱口に、例えばディスク状記録媒体が排出されてイジェクト位置を占める時に、スライド蓋が当該挿脱口へ向かって移動することはなく、イジェクト位置を占めるディスク状記録媒体にスライド蓋が衝突して破損することが未然に防止される。
【発明の効果】
【００１９】
本発明に係る記録及び／又は再生装置によれば、イジェクト釦を押してディスク状記録媒体がイジェクト位置を占める時は、開閉部材がディスク状記録媒体に押されて内側へ開いた状態になり、ディスク状記録媒体が存在することを検出手段が検出する。
【００２０】
このため、例えば開閉部材の外側に設けられた開閉蓋を設け、検出手段がディスク状記録媒体の存在を検出しているときには開閉蓋が閉じないように条件付けをしておくことにより、ディスク状記録媒体がイジェクト位置を占める状態で、開閉蓋を閉じてしまうという事故が未然に防止される。
【発明を実施するための最良の形態】
【００２１】
以下、本発明による記録及び／又は再生装置の実施の形態を説明する。
（ａ）実施の形態１
実施の形態１は、記録及び／又は再生装置をポータブルＭＤ（ミニディスク）に適用したものである。
【００２２】
図５に示すように、ポータブルＭＤ１は、筐体５の上部にカートリッジホルダ２を備えており、図５（ａ）のようにディスクカートリッジ３を挿脱口６から少し挿入するとローディングが開始され、ディスクカートリッジ３は図示しないモータの駆動力により、図５（ｂ）の状態を介してカートリッジホルダ２上まで搬送されて挿入が完了する。その後に回転駆動されるディスクテーブル４が反時計方向へ回動して上昇し、図５（ｃ）に示すようにローディングが完了する。その後に図示しない再生釦を押すと、再生が行われる。再生が終了して図示しないイジェクト釦を押すとアンローディングが開始され、ディスクテーブル４が時計方向へ回動して降下し、その後に図示しないモータが前記とは反対方向へ回動してディスクカートリッジ３が挿脱口６から排出される。排出されたディスクカートリッジ３は、その一部が挿脱口６から露出した図示しないイジェクト位置で停止する。
【００２３】
ポータブルＭＤの外観斜視図を図１〜図３に示す。図１はディスクカートリッジを挿脱口に挿入する前の状態、図２はディスクカートリッジが挿入中の状態、図３はディスクカートリッジの挿入が完了した状態である。
【００２４】
図１〜図３に示すように、ポータブルＭＤ１の外枠を構成する筐体５の前面には、挿脱口６が形成されている。挿脱口６は、ディスク状記録媒体をカートリッジに収容して構成されるディスクカートリッジ３を挿入できるように横へ長い長方形であり、挿脱口６には開閉部材７が設けられている。
【００２５】
開閉部材７は、挿脱口６へ挿入されるディスクカートリッジ３に押されて外部から内側へ向かって開くように、開閉部材７の上部両端に突出形成した一対の回動軸７ａ，７ｂを介して回動自在に設けられている。回動軸７ａを支持するために、右側には軸受５ａが筐体５と一体形成されており、軸受５ａには孔５ｂが形成されている。他方の回動軸７ｂを支持するために、左側には上下に一対の突起５ｃ，５ｄが筐体５と一体形成されている。突起５ｃ，５ｄは相対的に左右方向へずれた位置に配置され、突起５ｄの上面には回動軸７ｂが入り込む円弧状の凹部５ｅが形成されている。開閉部材７は、回動軸７ａを孔５ｂに挿入した後に、回動軸７ｂを突起５ｃ，５ｄの間へ押圧して装着されている。突起５ｃ，５ｄは樹脂で形成されているために弾性変形が容易であり、これにより回動軸７ｂの一部が凹部５ｅに入り込んで回動自在に支持されている。
【００２６】
回動軸７ｂには、開閉部材７と一体に回動する押圧部７ｃが形成されている。押圧部７ｃは回動軸７ｂの先端から下方へ向かって略直角に突出した状態で設けられている。このため、押圧部７ｃと開閉部材７とは略平行になっている。一方、押圧部７ｃによって押圧される検出スイッチ８が筐体５に設けられている。即ち、筐体５の上部の左側には図示しないプリント板が水平に配置され、該プリント板の下面に検出スイッチ８が取りつけられている。そして、前記開閉部材７が開いたときに押圧部７ｃが一体となって回動し、押圧部７ｃが検出スイッチ８のレバー８ａを下から上へ向かって押圧するようになっている。
【００２７】
そして、開閉部材７を外側へ向かって閉じる方向へ付勢する付勢手段として、ばね１２が設けられている。ばね１２は回動軸７ｂを囲繞するようにして設けられ、その一端が押圧部７ｃに引っ掛けられ、他端が筐体５の前面５ｇに当接している。ばね１２の他端を位置決めするために、筐体５の前面５ｇには一対の突起部５ｆが一体形成され、一対の突起部５ｆ間にばね１２の他端が配置されている。そして、ばね１２の付勢力により閉じる方向へ付勢される開閉部材７が閉じた状態（鉛直軸と略平行な状態）で、開閉部材７の回動を止めるストッパ部７ｄが開閉部材７に一体形成されている。図４に示すように、ストッパ部７ｄは、開閉部材７が回動軸７ａを中心として反時計方向へ回動しようとする際に、筐体５の前面５ｇに当接して開閉部材７の回動を止めるものであり、開閉部材７に対して略直角に突出形成されている。
【００２８】
開閉部材７の下部には、開閉部材７が内側へ向かって押し開かれたときに、開閉部材７を閉じる方向へ付勢するばね１２の付勢力によりディスクカートリッジ３を押圧するカートリッジ押え７ｅ，７ｆが、開閉部材７の両端に形成されている。開閉部材７の左端のカートリッジ押え７ｅは、その先端部が開閉部材７から下方へ少し突出している。カートリッジ押え７ｅの先端の前面側の部分は、ディスクカートリッジ３に当接するので、円弧状に形成されている。
【００２９】
一方、開閉部材７の右端のカートリッジ押え７ｆは、その先端部がディスクカートリッジ３の干渉部に干渉しないように開閉部材７から下方へ長く突出している。即ち、以下のようになっている。ディスクカートリッジ３の両面にはシャッタ３ａの可動範囲に凹部３ｂ形成されており、この凹部３ｂの片側の一方の端部（干渉部）Ｐにカートリッジ押え７ｆの先端部が干渉しないように、カートリッジ押え７ｆはカートリッジ押え７ｅよりも下方へ略３ｍｍ程度長く形成されている。カートリッジ押え７ｆの先端の形状も、カートリッジ押え７ｅと同じ形状である。一方のカートリッジ押え７ｆを長くしたのは、ディスクカートリッジ３が図３の挿入完了位置まで挿入されるにつれてディスクカートリッジ３のシャッタ３ａが開くが、シャッタ３ａが移動するための前記凹部３ｂの端部Ｐの位置にカートリッジ押え７ｆの先端が干渉して引っ掛かり、ディスクカートリッジ３の挿入が出来なくなるのを防止したものである。
【００３０】
カートリッジ押え７ｅ，７ｆと対応する位置の筐体５の前面５ｇには、カートリッジ押え７ｅ，７ｆが干渉しないようにスリット５ｈが形成されている。左右のスリット５ｈが同じ長さになっているのは、短いほうのカートリッジ押え７ｅを、長い方のカートリッジ押え７ｆと同じ長さにしても良いようにするためである。
【００３１】
図１に示すように開閉部材７の回動軸７ａ，７ｂは筐体５の前面５ｇよりも前方へ突出した位置に配置されており、そのために開閉部材７が閉じて鉛直軸に平行になった状態では、図４（ａ）に示すように開閉部材７の下端と筐体５の前面５ｇとの間に隙間ができてしまう。このため、この隙間を埋めるようにして筐体５の前面５ｇから前方へ向かって、畝（うね）状の突起５ｉが形成されている。突起５ｉは外部へ向かって斜め下方に傾斜しており、この突起５ｉの両側から挿脱口６の両側の内部へ向かって、図３に示すようにディスクカートリッジ３を案内する支持ガイド５ｊが設けられている。
【００３２】
次に、ディスクカートリッジ３の構造と、ディスクカートリッジ３のシャッタ３ａを開くための構造について説明する。シャッタ３ａは、前記のようにディスクカートリッジ３の両面に形成された凹部３ｂの範囲でスライド自在に構成され、シャッタ３ａの側面にはスリット３ｃが形成されている。また、側面が延長された側面延長部３ｄから内側へ向かって突起部３ｅが形成されている。一方、ディスクカートリッジ３の内部には樹脂からなる略Ｕ字形のロック部材９が、その屈曲部を軸部３ｆを介して回動自在に支持して設けられている。ロック部材９の一端である係合部９ａの外側には、前記突起部３ｅが嵌入される図示しない凹部が形成され、該凹部の両側には図３のようにテーパ面９ｃ，９ｄが形成されている。テーパ面９ｃは、ディスクカートリッジ３が挿入される際に後述する解除部材１１に押圧されてロック部材９が屈曲するための部分であり、逆にテーパ面９ｄはディスクカートリッジ３が排出される際に解除部材１１に押圧されてロック部材９が屈曲する部分である。一方、ロック部材９の他端側には、厚さ寸法を小さくして撓みやすくした弾性部９ｂが形成されている。そして、弾性部９ｂの先端部は、図示しない拘束部により拘束されている。係合部９ａを内側へ押圧して係合部９ａを内側へ撓ませるために、ディスクカートリッジ３の側面には、後述する解除部材１１を案内するための図示しないガイド溝が形成されている。
【００３３】
次に、ポータブルＭＤ１におけるシャッタ３ａを操作するための構成について説明する。筐体５の内部の右側には、スリット３ｃに嵌合してシャッタ３ａを拘束し、前記ディスクカートリッジ３が筐体５の内部で移動することによりシャッタ３ａが開くことになる係合部１０ａが形成されている。係合部１０ａは、一端が筐体５の内部に固定された板ばね１０の他端部をＶ字形状に屈曲させて形成したものである。また、ディスクカートリッジ３を挿脱口６に挿入する際にロック部材９の係合部９ａを押圧して撓ませるための解除部材１１が内側へ突出した状態で筐体５に固定されている。ディスクカートリッジ３の移動に伴って、解除部材１１が図示しない前記ガイド溝に沿って相対的に移動し、テーパ面９ｃに当接するため、ロック部材９の係合部９ａが内側へ撓んで、図示しない凹部から前記突起部３ｅが抜け、ディスクカートリッジ３に対してシャッタ３ａが開放されてスライド自在になる。
【００３４】
次に、ポータブルＭＤ１の作用を説明する。図１のように、開閉部材７を押しながら挿脱口６へディスクカートリッジ３を挿入すると、図２に示すように、ばね１２の付勢力に抗してして開閉部材７が回動軸７ａ，７ｂを中心として内側へ回動する。この状態では押圧部７ｃが検出スイッチ８のレバー８ａを押した状態を維持するので、ディスクカートリッジ３が筐体５の内部に挿入されていることが検出される。これにより、ディスクカートリッジ３がイジェクト位置を占めてその一部が挿脱口６から露出している場合には、検出スイッチ８によりディスクカートリッジ３の存在が検出される。また、ディスクカートリッジ３が挿脱口６に挿入されて開閉部材７が開いた状態では、一対のカートリッジ押え７ｅ，７ｆがディスクカートリッジ３を押える方向へ、ばね１２の付勢力が作用し、しかも開閉部材７の両端の位置から作用するので、ディスクカートリッジ３が安定した状態で適正に保持される。
【００３５】
図２に示すように、ディスクカートリッジ３が挿脱口６の内部へある程度挿入されると、解除部材１１がディスクカートリッジ３に形成された図示しないガイド溝に沿って移動し、ディスクカートリッジ３内のロック部材９のテーパ面９ｃを押圧する。このため、ロック部材９の係合部９ａが内側へ撓んで、係合部９ａに形成した図示しない凹部から、シャッタ３と一体の突起部３ｅが抜け、ディスクカートリッジ３に対してシャッタ３ａが開放されてスライド自在になる。一方、解除部材１１がテーパ面９ｃを押圧すると略同時に、板ばね１０の先端部の係合部１０ａがスリット３ｃに入り込み、シャッタ３ａの移動が拘束される。このため、ディスクカートリッジ３は挿入される一方、シャッタ３ａは動かないことから、ディスクカートリッジ３に対してシャッタ３ａが図３に示すように挿脱口６側へ相対的に移動し、開いた状態になり、ＭＤの記録再生が可能となる。図３の状態では長い方のカートリッジ押え７ｆの先端はシャッタ３ａの端部Ｐから離れており、ディスクカートリッジ３の挿入が完了する前に、カートリッジ押え７ｆの先端が端部Ｐと干渉してディスクカートリッジ３の挿入が完了できなくなるという問題は生じない。
（ｂ）実施の形態２
次に、実施の形態２について説明する。
【００３６】
図６は、筐体１３の内部にＣＤ（コンパクトディスク）とＭＤとのドライブを縦に並べて設け、筐体１３の前面に縦に長い夫々の第１挿脱口１４，第２挿脱口１５を横に並べて設け、上下に設けたレールに沿って水平方向へスライド自在なスライド蓋１６を設け、スライド蓋１６が図示しないモータの作用により左右に移動して夫々の挿脱口のいずれか一方のみが閉じるように構成されている。そして、第１挿脱口１４，第２挿脱口１５には、実施の形態１と同様に検出手段が設けられており、夫々の検出手段がＣＤあるいはＭＤを検出したときには、スライド蓋１６用のモータが回転しないように関連付けされている。
【００３７】
ＣＤが第１挿脱口１４のイジェクト位置に存在している場合や、ＭＤが第２挿脱口１５のイジェクト位置に存在する場合には、検出手段がこれを検出し、スライド蓋１６が移動するのを阻止する。このため、ＣＤあるいはＭＤが第１挿脱口１４あるいは第２挿脱口１５の位置に存在するのにスライド蓋１６を移動させて生じる事故が、未然に防止される。
【００３８】
このように開閉部材が開いた状態を検出する検出スイッチを備えた記録及び／又は再生装置は、実施の形態１，２に示す装置のほかに、記録及び／又は再生装置の外側に別個に開閉蓋を設け、該開閉蓋をリモコンにより開閉操作する構成のものや、開閉部材が閉じた数秒後に開閉蓋が閉じるように設定された構成のものに適用して好適なものである。ディスクカートリッジが挿脱口から抜き取られていないにも拘わらず開閉蓋を閉じてしまうというトラブルを未然に防止することができる。
【００３９】
なお、本実施の形態では、検出手段について、押圧部を開閉部材と一体設け、該押圧部によって押圧される検出スイッチを筐体に設けたが、検出スイッチを開閉部材と一体に設け、押圧部を筐体に設けるようにしてもよい。また、本実施の形態では、記録及び／又は再生装置がポータブルＭＤの場合と、ＣＤとＭＤとの双方を記録再生する装置を示したが、これに限らず、ＣＤやＤＶＤ（デジタルビデオディスク）等の単一のディスク状記録媒体を用いた記録及び／又は再生装置でもよい。更に、検出スイッチを押圧する押圧部を開閉部材の左側に設けたが、部品の配置によっては右側に設けるようにしてもよい。また更に、検出スイッチを押圧する押圧部を設けた発明については、ディスクカートリッジに限らず、ディスク状記録媒体そのものを挿脱口から挿脱する場合にも適用できる。また更に、実施の形態２については、ＣＤとＭＤとに限らず、どのような組み合わせであってもよい。
【００４０】
このほか、長いカートリッジ押えを開閉部材の右側に設けたが、シャッタがディスクカートリッジの左側に設けられている場合は左側に設けてもよく、あるいは両側に設けるようにしてもよい。
【図面の簡単な説明】
【００４１】
【図１】ポータブルＭＤにディスクカートリッジを挿入する前の構成図（実施の形態１）。
【図２】ディスクカートリッジが挿入中の状態を示す構成図（実施の形態１）。
【図３】ポータブルＭＤへのディスクカートリッジの挿入が完了した状態の構成図（実施の形態１）。
【図４】挿脱口の断面に係り、（ａ）は開閉部材が閉じた状態の断面図、（ｂ）は開閉部材が開いた状態の断面図（実施の形態１）。
【図５】ポータブルＭＤとディスクカートリッジとの関係を示すものであり、（ａ）はディスクカートリッジの挿入前の構成図、（ｂ）は挿入中の構成図、（ｃ）は挿入完了状態の構成図（実施の形態１）。
【図６】ＣＤとＭＤとを合体した記録再生装置に係り、（ａ）はＭＤの挿脱口を閉じた状態の構成図、（ｂ）はＣＤの挿脱口を閉じた状態の構成図（実施の形態２）
【符号の説明】
【００４２】
１…ポータブルＭＤ（記録及び／又は再生装置）
３…ディスクカートリッジ（ディスク状記録媒体）
５…筐体
６…挿脱口
７…開閉部材
７ａ，７ｂ…回動軸
７ｃ…押圧部
７ｅ，７ｆ…カートリッジ押え
８…検出スイッチ
１２…ばね（付勢手段）
【図１】
2005322289.tif 000003
【図２】
2005322289.tif 000004
【図３】
2005322289.tif 000005
【図４】
2005322289.tif 000006
【図５】
2005322289.tif 000007
【図６】
2005322289.tif 000008